(57)【要約】      （修正有）【課題】ＬＥＤランプが密に実装されて小型化され、かつ歩留まりの低下が防止されてコスト面で有利である光源装置を提供する。【解決手段】基板と、前記基板に実装される表面実装型の白色ＬＥＤランプを含む第１光源と、前記基板の前記白色ＬＥＤランプ近傍にベアチップ実装されるＬＥＤチップを含む第２光源と、を備える、光源装置とする。【選択図】図２
2009239152.tif 000002
【特許請求の範囲】
【請求項１】
基板と、
前記基板に実装される表面実装型の白色ＬＥＤランプを含む第１光源と、
前記基板の前記白色ＬＥＤランプ近傍にベアチップ実装されるＬＥＤチップを含む第２光源と、
を備える、光源装置。
【請求項２】
前記第２光源の前記ＬＥＤチップの発光色がアンバー色であることを特徴とする、請求項１に記載の光源装置。
【請求項３】
前記第２光源は前記ＬＥＤチップを複数個含み、該複数個のＬＥＤチップが、前記第１光源の前記白色ＬＥＤランプの外縁に沿って設けられることを特徴とする、請求項１又は２に記載の光源装置。
【請求項４】
前記基板は第１基板と、該第１基板の上に載置される第２基板とに分割され、
前記第１基板は前記第１光源が設けられ、
前記第２基板は開口部を有し、該開口部の周囲に前記第２光源が設けられ、
前記第２基板を前記第１基板の上に載置した状態において、前記開口部は前記第１光源に相当する位置にあり、前記第１光源が前記開口部を介して露出することを特徴とする、請求項１〜３のいずれか一項に記載の光源装置。
【請求項５】
基板を用意するステップと、
前記基板に表面実装型の白色ＬＥＤランプを実装するステップと、
前記白色ＬＥＤランプを実装した前記基板からフラックスを除去するステップと、
前記フラックスを除去した前記基板の前記白色ＬＥＤランプ近傍に、ＬＥＤチップをベアチップ実装するステップと、
を含む、光源装置の製造方法。
【発明の詳細な説明】
【技術分野】
【０００１】
本発明はＬＥＤランプを使用する光源装置の改良に関する。
【背景技術】
【０００２】
従来、ＬＥＤランプを使用した光源装置において、その発光色を昼光色、昼白色、白色、温白色、電球色などに色変わりさせることにより、色温度を可変とし、日の出から日の入りまでの日光の色変化を模している光源装置がある。特許文献１の光源装置では、白色ＬＥＤランプとアンバー色ＬＥＤランプを使用して、これらを個別に点灯制御及び光度調節している。これらの２種類のＬＥＤランプは同一の基板に実装されている。直接本発明に関係するものではないが、特許文献２、３に複数のＬＥＤランプを実装された基板を備える光源装置が開示されている。
【特許文献１】特開２００３−２１２０３７号公報
【特許文献２】特表２００２−５４４６７３号公報
【特許文献３】特昭６１−１０６６号公報
【発明の開示】
【発明が解決しようとする課題】
【０００３】
ＬＥＤランプを使用する光源装置は、近年様々な用途に使用されている。用途の拡大に伴って、光源装置の小型化が求められるようになった。複数のＬＥＤランプを備える光源装置において装置を小型化するために、ＬＥＤランプを密に実装することが考えられる。例えば５個の表面実装型ＬＥＤランプ１０１を使用する光源装置１００では、図１Ａのように配置することができる。表面実装型のＬＥＤランプであるＬＥＤランプ１０１は、一辺が約３．０ｍｍ程度の直方体であって、図１Ａに示すように密に実装したとしても、ＬＥＤランプ部全体で一辺の長さｈ１は約１０．０ｍｍ以上となり、さらなる小型化が求められている。そこで、より小型で密に実装しやすい、ベアチップ実装（ＣＯＢタイプ）のＬＥＤチップを使用することが考えられる。確かにベアチップ実装のＬＥＤチップを使用すれば、さらに密実装することができる。図１Ｂに示すように、５個のベアチップ実装のＬＥＤチップ２０１を配置すれば、ＬＥＤランプ部全体の一辺の長さｈ2はｈ１よりも小さくなり、装置の小型化が可能となる。しかし、ベアチップ実装の白色発光ＬＥＤチップは高価なため、コスト面で不利となる。また、かかる白色発光ＬＥＤチップは発光色の色目が安定しないという問題がある一方で、ベアチップ実装のＬＥＤチップは一旦基板へ実装すると取り外しが容易ではないため、ベアチップ実装の白色発光ＬＥＤチップを使用すると歩留まりが悪くなる。
そこで、本発明はＬＥＤランプが密に実装されて小型化され、かつ歩留まりの低下が防止されてコスト面で有利である光源装置を提供することを目的とする。
【課題を解決するための手段】
【０００４】
上記課題を解決するため、本発明は次の構成からなる。即ち、
基板と、
前記基板に実装される表面実装型の白色ＬＥＤランプを含む第１光源と、
前記基板の前記白色ＬＥＤランプ近傍にベアチップ実装されるＬＥＤチップを含む第２光源と、
を備える、光源装置である。
【発明の効果】
【０００５】
本発明の光源装置では、表面実装型の白色ＬＥＤランプと、ベアチップ実装のＬＥＤチップとを備える。表面実装型のＬＥＤランプはベアチップ実装のＬＥＤチップに比べてリムーバなどの公知の手段で容易に取りはずすことができる。白色ＬＥＤランプは他のＬＥＤチップに比べて、色目が安定しないという問題があるが、白色ＬＥＤランプを取り外し容易な表面実装型のＬＥＤランプとすることで交換が容易となり、歩留まりの低下が防止されてコスト面で有利となる。一方、ベアチップ実装のＬＥＤチップを使用することにより、これらを表面実装型のＬＥＤランプ使用した場合に比べて、より密に実装することができる。その結果、装置を小型化することができる。また、密実装することにより、第１光源の光と第２光源の光が混合されやすくなり、色ムラの発生が防止される。
【発明を実施するための最良の形態】
【０００６】
（基板）
本発明の光源装置の基板の種類は特に限定されず、ガラスエポキシ基板（ＦＲ−４）、フレキシブル基板（ＦＰＣ、Ｆｌｅｘｉｂｌｅ  Ｐｒｉｎｔｅｄ  ｃｉｒｃｕｉｔ）等の基板など、公知の種類の基板を採用できる。基板の形状も特に限定されない。
【０００７】
（ＬＥＤランプ）  本発明の光源装置では第１光源と第２光源とを備える。第１光源は表面実装型の白色ＬＥＤランプを含む。第１光源の白色ＬＥＤランプの構成は特に限定されないが、例えば、青色発光ＬＥＤチップの封止部材に黄色蛍光体を含有させた表面実装型の白色ＬＥＤランプや、近紫外発光ＬＥＤチップの封止樹脂に赤色、緑色及び青色の蛍光体を含有させた表面実装型の白色ＬＥＤランプを例示できる。表面実装型の白色ＬＥＤランプは基板にハンダ等の導電性材料により取り付けることができる。当該白色ＬＥＤランプに色目や輝度などが所定の基準を満たさないものが含まれる場合は、リムーバにより白色ＬＥＤランプと基板と接着しているハンダを溶融することにより、白色ＬＥＤランプを容易に交換することができる。これは後述の第２光源を設置した後に行うこともできるため、歩留まりが向上する。
【０００８】
第２光源は基板の白色ＬＥＤランプ近傍に設けられる。第２光源はベアチップ実装のＬＥＤチップを含む。ベアチップ実装のＬＥＤチップは、表面実装型のＬＥＤランプに比べて、小型で設置スペースが少なくてすむ。そのため、密実装することができる。第２光源のＬＥＤチップの発光色は、第１光源の白色ＬＥＤランプの放出光の色温度を考慮して決定することができる。第１光源の白色ＬＥＤランプの放出光の色温度が約１０，０００Ｋの場合は、第２光源の発光色はアンバー色であることが好ましい。第１光源の白色ＬＥＤランプの放出光と混合して赤みがかった電球色の光を生成することができるからである。第２光源はベアチップ実装のＬＥＤチップを複数個備えていてもよい。複数個のＬＥＤチップの中には他と異なる発光色のＬＥＤチップが含まれていてもよい。例えば、第１光源の白色ＬＥＤランプの放出光の色温度が約５，０００Ｋの場合は、第２光源は、青色発光ＬＥＤと、アンバー色発光ＬＥＤとを備えることが好ましい。第１光源の光と第１光源の光とを混合して約２，５００Ｋ〜１０，０００Ｋの色温度の光を放出することができるからである。複数個のＬＥＤチップは第１光源の白色ＬＥＤランプの外縁に沿って設けることが好ましい。例えば、第１光源の白色ＬＥＤランプを囲繞する仮想円または矩形の仮想枠に沿って複数個のＬＥＤチップを設けることができる。これにより第１光源と第２光源とが近接して密実装されるとともに、第１光源に対して第２光源がバランス良く配置され、色ムラの発生が防止されるからである。
【０００９】
第１光源と第２光源の配置は、例えば次のようにすることができる。第１光源となる表面実装型白色ＬＥＤランプをマトリクス状に基板に配置し、その表面実装型白色ＬＥＤランプに近接するように、当該隣接する白色ＬＥＤランプ同士の間に第２光源となるベアチップ実装のＬＥＤランプを実装し、その後所定の大きさに基板を分割することができる。また次のように第１光源と第２光源を配置してもよい。第１光源となる表面実装型白色ＬＥＤランプを線状に配置し、当該隣接する白色ＬＥＤランプ同士の間に第２光源となるベアチップ実装のＬＥＤランプを実装して、第１光源と第２光源を線状に配列し、その後所定の長さに分割することができる。
【００１０】
第２光源のＬＥＤチップとして発光色が有色のＬＥＤチップを採用した場合において、次のように点灯制御することができる。まず、光度が漸増するように、有色光を放出する第２光源を点灯させ、併せて第２光源の点灯に遅らせてその光度が漸増するように白色光を放出する第１光源を点灯させる。このような点灯制御を行えば、有色光の光度が徐々に増していき、併せてその色調が徐変するような発光態様が得られる。中でも、第２光源のＬＥＤチップとしてアンバー色のＬＥＤチップを採用することが好ましい。これにより、日の出のときのような光の変化、すなわち朝焼けのような赤っぽい雰囲気から昼間のような白っぽい雰囲気へと移り変わっていく様を表現することができる。
【００１１】
また、その光度が漸減するように白色発光の第１光源を消灯し、併せて、当該光源の消灯に遅らせてその光度が漸減するように有色の第２光源を消灯させれば、光度が徐々に低下するとともにその色調が濃くなっていくといった照明態様が得られる。第２光源のＬＥＤチップとしてアンバー色のＬＥＤチップを採用した場合は、日没のときのような光の変化、即ち昼間のような白っぽい雰囲気から夕焼け空のような赤っぽい雰囲気へと移り変わっていく様を表現することができる。
【００１２】
本発明の一態様は、基板は第１基板と、第１基板の上に載置される第２基板とに分割され、第１基板は第１光源を有し、第２光源は開口部を有し、当該開口部の周囲に第２光源が設けられ、第２基板を第１基板上に載置した状態において、第２基板の開口部は第１光源に相当する位置にあり、第１光源が開口部を介して露出する、ことを特徴とする光源装置である。かかる光源装置では、第１光源と第２光源が別の基板に設けられる構成により、第１光源の白色ＬＥＤランプ及び第２光源のＬＥＤチップを実装する際、互いに干渉することがなく、実装精度が向上する。また、第１光源の白色ＬＥＤランプの色目等が所定の基準を満たさなかった場合には、第１基板ごと白色ＬＥＤランプを交換すればよく、作業効率が向上し、歩留まりも向上する。第１基板と第２基板の材質は特に限定されず、公知の材質のものを採用してよい。第１基板と第２基板を別の材質で構成してもよい。
【００１３】
（製造方法）
本発明の光源装置の製造方法は以下の通りである。基板を用意するステップ（ａ）と、基板に表面実装型の白色ＬＥＤランプを実装するステップ（ｂ）と、白色ＬＥＤランプを実装した基板からフラックスを除去するステップ（ｄ）と、フラックスを除去した基板の白色ＬＥＤランプ近傍に、ＬＥＤチップをベアチップ実装するステップ（ｄ）と、を含む、光源装置の製造方法である。このような方法によれば、ステップ（ｂ）で表面実装型の白色ＬＥＤランプを実装した際に発生するフラックスが、ステップ（ｃ）で取り除かれ、ステップ（ｄ）におけるＬＥＤチップのベアチップ実装がより高精度に行われることとなり、作業効率の向上、歩留まりが向上する。
以下、実施例に基づき本発明をより詳細に説明する。
【実施例１】
【００１４】
本発明の実施例である光源装置１の上面図を図２に示し、図２のＡ−Ａ線断面図を図３に示す。光源装置１は、基板１０、第１光源１１、第２光源１２を備える。基板１はＦＲ４である。第１光源１１は表面実装型の白色ＬＥＤランプであって、基板１０の略中央に実装されている。第１光源１１は、白色樹脂製のカップの底部に青色ＬＥＤチップを載置して、黄色蛍光体を含む封止樹脂で封止してパッケージングした表面実装型（ＳＭＤ）の白色発光ＬＥＤランプである。一方、第２光源１２はアンバー色発光ＬＥＤチップが基板１０にベアチップ実装されたＬＥＤランプである（図３参照）。第２光源１２は第１光源１１の外縁に沿って第１光源１１の上下左右の４箇所に設けられている。第１光源１１及び第２光源１２は点灯制御用のコントローラ（図示せず）に接続されており、その点灯状態及び光度が調節される。
【００１５】
図４に光源装置１の製造工程を表すフロー図を示す。光源装置１の製造行程は、図４に示すように、まず基板１０を用意する（ステップａ）。次に基板１０に第１光源１１となる表面実装型の白色ＬＥＤランプをハンダにより実装する（ステップｂ）。その後、実装時に発生したフラックスを基板１１から除去する（ステップｃ）。続いて、第２光源１２となるＬＥＤチップを、第１光源１１の上下左右にベアチップ実装する（ステップｄ）。
【００１６】
以上のように製造された光源装置１では、第２光源１２となるＬＥＤチップはベアチップ実装されるため、パッケージングされた状態で実装する場合に比べて、より密に（隣接する他の素子との間隔が小さい状態で）設置することができる。これにより、第１光源１１により近接させて設置することができる。即ち密実装することができる。その結果、光源装置１のＬＥＤランプ部分の一辺の長さｈ０が図１Ａのｈ１に比べて小さくなり、装置自体が小型化される。このようにＬＥＤランプ部分が小さくなれば、例えば、棒状導光体の端面へ光を入射させる場合において、端面が小さい（あるいは、径の小さい）棒状導光体に対して本発明の光源装置１を光源として使用することができる。また、密実装することにより、第１光源１１の光と第２光源１２の光が混合されやすくなり、色ムラの発生が防止される。
一方、第１光源１１となる表面実装型の白色ＬＥＤランプはパッケージの状態で表面実装される。第１光源１１も第２光源１２と同様にベアチップ実装とする形態を採用することも考えられるが、ベアチップ実装の白色発光ＬＥＤランプは高価なため、コスト面で不利となる。また、かかる白色発光ＬＥＤチップは発光色の色目が安定しないという性質があり、ベアチップ実装のＬＥＤチップは一旦基板へ実装すると、取り外しが容易ではない。そのため、白色発光ＬＥＤチップの色目が不良であった場合には、交換が難しく、歩留まりが低下する。本発明の光源装置１では表面実装型の白色ＬＥＤランプを第１光源１１として使用する。そのため、ベアチップ実装の場合にくらべてコスト面で有利となる。さらに、ハンダにより実装された表面実装型の白色発光ＬＥＤランプは、リムーバにより容易に取り外すことができる。これにより、白色発光ＬＥＤランプの色目が不良な場合には、色目の良好な白色発光ＬＥＤランプへの交換が容易となり、歩留まりが向上する。
【００１７】
光源装置１の発光態様を以下に説明する。図５は、第１光源１１及び第２光源１２に接続された点灯制御用のコントローラによる点灯制御の態様を模式的に表したグラフである。このグラフに示されるように、まず第２光源１２の点灯が開始される。第２光源１２は、点灯開始時（ｔ０）から所定時間（ｔ２）経過するまで、その光度が徐々に増加するように点灯され、その後は一定の光度で点灯される。一方、第２光源１２の点灯開始時（ｔ０）から所定時間（ｔ１）経過した後に、第１光源１１の点灯が開始される。そして、所定時間（ｔ３）経過するまで第１光源１１の光度は徐々に増加され、その後は一定の光度で点灯される。以上のような点灯時の制御によって、第２光源１２の点灯開始時（ｔ０）から所定時間の間（ｔ０〜ｔ１）は、第２光源１２のみによってアンバー色の光が放出され、その光度は時間の経過とともに徐々に増加する。時間（ｔ１）経過後には、第１光源１１の光が混色し始め、時間（ｔ２）まで、両光源ともにその光度が徐々に増加する。これにより、時間（ｔ１）〜時間（ｔ２）の間は、放出光の色調が徐々に明るくなり、同時に光度が増大する。時間（ｔ２）経過後は、第２光源１２の光度が一定に保持され、第１光源１１の光度のみが徐々に増加する。したがって、放出光の光度が増大するとともに、放出光全体に占める白色光の割合が増加することから放出光の色調はより明るく、即ち白色に近いものへと変化していく。
【００１８】
以上のように、それぞれがフェードインするように第１光源１１及び第２光源１２を点灯させ、併せて両光源の点灯開始のタイミングをずらすことにより、光度の変化と色調の変化とを巧みに組み合わせた演出効果の高い照明態様が得られ、あたかも日の出のときのような光の変化、即ち朝焼け空のような赤っぽい雰囲気から昼間のような白っぽい雰囲気へと移り変わっていく様を表現することができる。
【００１９】
一方、コントローラによる消灯制御時には、まず第２光源１２の消灯を開始する。第１光源１１は、消灯開始時（ｔ４）から所定時間の間（ｔ４〜ｔ６）その光度が徐々に低下するようにして消灯される。一方、第１光源１１の消灯開始時（ｔ４）から所定時間（ｔ５−ｔ４）経過した後に第２光源１２の消灯が開始される。第２光源１２も、その消灯開始時（ｔ５）から所定時間の間（ｔ５〜ｔ７）その光度が徐々に低下するようにして消灯される。
【００２０】
以上のような消灯時の制御によって、第１光源１１の消灯開始時（ｔ４）から所定時間の間（ｔ４〜ｔ５）は第１光源１１のみの光度が低下し、放出光の光度が徐々に低下するとともに、放出光に占める白色光の割合が減少することから、色調が次第に暗く（濃く）なる。時間（ｔ５）経過後には第２光源１２の光も減少し始め、時間（ｔ６）まで両光源ともにその光度が徐々に低下する。これにより、時間（ｔ５）〜時間（ｔ６）の間は放出光の色調が徐々に暗くなり、同時に光度が減少する。時間（ｔ６）経過後は第２光源１２のみの光が放出され、その光度が時間とともに低下していく。したがって、アンバー色の光が次第に光度を落としつつ消えていくのが観察される。
【００２１】
以上のように、それぞれがフェードアウトするように第１光源１１及び第２光源１２を消灯させ、併せて第１光源１１と第２光源１２の消灯開始のタイミングをずらすことにより、光度の変化と色調の変化とを巧みに組み合わせた演出効果の高い照明態様が得られ、あたかも日没のときのような光の変化、即ち昼間のような白っぽい雰囲気から夕焼け空のような赤っぽい雰囲気を経て、最後に夜の雰囲気へと移り変わっていく様を表現することができる。
【００２２】
以上の実施例では、点灯時の制御として第１光源１１の点灯を先行させたが、これとは逆に第２光源１２の点灯が先行するように両光源の点灯状態を制御することもできる。同様に、消灯時の制御として第１光源１１の消灯が先行するように両光源の点灯状態を制御することもできる。このような消灯時の制御を行った場合における両光源の光度の時間推移を図６（ａ）に示す。尚、この例では、第２光源１２の光度の最高値が第１光源１１のそれよりも大きく設定されている。
【００２３】
点灯時の制御として、第１光源１１と第２光源１２との点灯開始を同時とし、両者を異なる態様で光度変化させるものを採用することもできる。同様に、消灯時の制御として、第１光源１１と第２光源１２との点灯開始を同時とし、両者を異なる態様で光度変化させるものを採用することもできる。このような点灯時及び消灯時の制御を行った例を図６（ｂ）に示す。
【００２４】
一方、第１光源１１と第２光源１２の点灯時及び消灯時の光度変化の態様は特に限定されるものではなく、図５のようにリニアな光度変化の他、例えば指数関数的又は段階的にその光度を増加（減少）させることもできる。第１光源１１及び第２光源１２の点灯時及び消灯時の光度変化を指数関数的に制御する例を図６（ｃ）に示す。他方、第２光源１２の点灯時及び消灯時の光度変化を段階的に制御する例を図６（ｄ）に示す。この例では、第１光源１１の点灯時及び消灯時の光度変化はリニアなものを採用している。
【００２５】
また、図６（ｅ）に示されるような第１光源１１及び第２光源１２の点灯・消灯制御を行うこともできる。この例では、点灯時の制御として、第２光源１２を点灯初期にその光度が漸増するように点灯させ、そして所定の光度に達した後に一旦その光度を漸減させて消灯させる（低光度で点灯した状態を維持してもよい）。第１光源１１については、第２光源１２の点灯開始から所定時間経過した後であって第２光源１２の光度が漸増しているとき（点灯初期）にその点灯を開始させ、その光度を漸増させる。そして所定の光度で点灯状態を維持させる。消灯時の制御としては、まず第１光源１１の光度を漸減させる。この第１光源１１の消灯開始と同時に第２光源１２の点灯を開始させ、その光度を漸増させる。そして所定の光度に達した後、その光度を漸減させて消灯させる。尚、第１光源１１の消灯開始から所定時間経過した後に第２光源１２の点灯を開始させることもできる。
【実施例２】
【００２６】
本発明の他の実施例である光源装置５の一部分解斜視図を図７に示し、組み立て後の図７のＢ−Ｂ線断面図を図８に示す。図７に示すように、光源装置５は、第１基板５１、第２基板５２、第１光源１１、第２光源１２を備える。基板は第１基板５１と第２基板５２とに分割されてなる。第１基板５１は厚さ約１．６ｍｍのＦＲ−４基板で、その中央には第１光源１１が設けられる。第２基板５２も第１基板５１と同様に厚さ約１．６ｍｍのＦＲ−４基板であり、その中央部には開口部５３が形成されている。開口部５３は第１基板５１に設けられる第１光源１１よりも若干大きく、第２基板５２を第１基板５１に載置したときに、第１光源１１が当該開口部５３を介して露出する（図８を参照）。
【００２７】
光源装置５は光源装置１と同等の効果を奏するとともに、第１光源１１と第２光源１２が異なる基板に設けられているため、第１光源１１の白色ＬＥＤランプ及び第２光源１２のＬＥＤチップを実装する際に互いに干渉することがなく、実装精度が向上される。また、第１光源１１の白色ＬＥＤランプの色目等が所定の基準を満たさなかった場合には、第１基板５１ごと白色ＬＥＤランプを交換すればよく、作業効率が向上し、歩留まりも向上する。
【００２８】
第１光源１１はパッケージ化された表面実装型のＬＥＤランプでその高さが約２．０ｍｍであり、第２光源１２はベアチップ実装されたＬＥＤチップであってシリコーンで封止した後の高さは約０．５ｍｍである。第２光源１２の高さは第１光源１１の高さよりも低いため、第１光源１１と第２光源１２とを同一の基板に設けると互いに異なる高さで設けられることとなる。すなわち、高さ方向において、第２光源１２の上端位置が第１光源１１の上端位置よりも低くなる。光源装置５では、既述のように、第１光源１１を設けた第１基板５１上に、第２光源１２を設けた第２基板５２を載置している。これにより、高さ方向において、第２光源１２の上端位置が第２基板５２の厚さ分、かさ上げされることとなり、図８に示すように、第１光源１１の上端位置と第２光源１２の上端位置とが揃うこととなる。これにより、高さ方向において第１光源１１と第２光源１２の発光位置が揃うため、導光板や導光棒の平坦面へ照射してその内部へ光を入射する場合に入射効率が向上する。なお、光源装置５は光源装置１と同様に点灯制御することができる。
【実施例３】
【００２９】
本発明のさらに他の実施例である光源装置９００を備える車両室内照明装置９を図９に示す。車両室内照明装置９は車両室内の天井に設けられ、光源装置９００、導光板９１０、意匠カバー９２０を備える。意匠カバー９２０は乳白色の光透過性樹脂製であって、車両室内側を覆っている。図９に示すように、意匠カバー９２０の車両室内側の面には黒色で光非透過性のＡＢＳ樹脂製の枠部９２１が格子状に設けられている。当該枠部９２１により、意匠カバー９２０は中央のルームランプ部９２２、助手席側角部のマップランプ部９３０ａ、運転席側角部のマップランプ部９３０ｂ、左後部座席側角部のマップランプ部９３０ｃ、右後部座席側角部のマップランプ部９３０ｄ、車両前方側中央部のフロントコンソールライト部９４０ａ、車両後方側中央部のリアコンソールライト部９４０ｂ、及び非発光部９５０とに区画されている。
【００３０】
図１０に示すように、ルームランプ部９２２の背後には導光板９１０が配置される。導光板９１０はアクリル製の平板であって、その大きさは厚さ約７．０ｍｍ、縦約７００ｍｍ、幅約５００ｍｍである。導光板９１０と車両天井９０との間（即ち、導光板９１０の裏面側）には白色の反射シート９１２が設けられる。導光板９１０の左右には光源装置９００が２個備えられる。光源装置９００は、その光放出側が左右側面９１１に対向するように、該左右側面９１１に沿ってそれぞれ配置される。これにより、左右側面９１１から導光板９１０に光源装置９００の光が入射する。
【００３１】
光源装置９００を抜き出してその上面図（光放出側の面を示す図）を図１１に示す。光源装置９００は、基板９０１、第１光源９０２、第２光源９０３、９０４を備える。基板９０１はＦＲ−４基板であって、幅が約７．０ｍｍの長板状の基板を複数枚、長手方向に連なるように配置し、長さが合計約７００ｍｍとしている。図１１に示すように、基板９０１は長手方向に略等間隔に区間ａ〜区間ｇの７つの区間に区分けされている。第１光源９０２は表面実装型の白色ＬＥＤランプである。７個の第１光源９０２が備えられ、基板９０１の中央線９０５に沿って、基板９０１の区間ａ〜区間ｇの各区間に一つずつ実装されている。第２光源９０３はベアチップ実装のアンバー色発光のＬＥＤチップである。第２光源９０３は７個備えられ、第１光源９０２の右側面に近接するように中央線９０５に沿って、基板９０１の区間ａ〜区間ｇの各区間に一つずつ実装されている。第２光源９０４はベアチップ実装の青色発光のＬＥＤチップである。第２光源９０４も７個備えられ、第１光源９０２の左側面に近接するように中央線９０５に沿って、基板９０１の区間ａ〜区間ｇの各区間に一つずつ実装されている。即ち、各区間ａ〜ｇには右側から第２光源９０３、第１光源９０２、第２光源９０４の順で配列することとなる。第１光源９０２と第２光源９０３、９０４はいずれも同一のルームランプ部９２２用のスイッチ（図示せず）により制御され、これらの点灯制御は連動して行われる。
【００３２】
各マップランプ部９３０ａ〜ｄの背後には、それぞれ砲弾型の白色ＬＥＤランプ９３１ａ〜ｄが設けられている。同様にフロントコンソールライト部９４０ａ、及びリアコンソールライト部９４０ｂの背後には、それぞれ砲弾型の白色ＬＥＤランプ９４１ａ、９４１ｂが設けられている。これらのＬＥＤランプは個別に設けられたスイッチ（図示せず）により点灯制御される。
【００３３】
車両室内照明装置９の照明態様を次に説明する。まず、ルームランプ部９２２用のスイッチがオンにされると、第１光源９０２と第２光源９０３、９０４の光は導光板９１０の左右側面９１１に向かって放出される。各光源の光は左右側面９１１から導光板９１０に入射して導光板９１０内を導光し、導光板９１０の裏面側の白色シート９１２により拡散反射されて、導光板９１０の正面（車両室内側の面）から放出される。当該放出光はルームランプ部９２２から車両室内に進行して車両室内を照明する。第２光源９０３、９０４はともにベアチップ実装されたＬＥＤチップからなるため、図１１に示すように表面実装型のＬＥＤランプに比べて、密実装することができる。密実装することにより、第１光源９０２の光と第２光源９０３、９０４の光が混合されやすくなり、色ムラの発生が防止される。第１光源９０２は表面実装型のＬＥＤランプでありハンダで取り付けられており、その色目等が不良な場合には、色目等の良好な白色発光ＬＥＤランプへの交換が容易となり、歩留まりが向上する。
光源装置９００は光源装置１と同様の点灯制御をすることができる。これにより、日の出や日の入りのときのような色温度変化を模した照明態様で車両室内を演出することができる。なお、各マップランプ部９３０ａ〜ｄはそれぞれ個別にマップランプとして機能し、フロントコンソールライト部９４０ａ、及びリアコンソールライト部９４０ｂはそれぞれコンソール部を照明するランプとして機能する。このように、車両室内照明装置９は複数の照明機能を備えている。一方で車両室内照明装置９は非発光部９５０を複数備える。非発光部９５０はルームランプ部９２２等と同様に乳白色の意匠カバー９２０により形成されるため、一見発光部であるかのように観察されるが、非発光部９５０からは光が放出されないため、観察者に意外性を与え、意匠性の高い照明態様が提供されることとなる。
【産業上の利用可能性】
【００３４】
本発明の光源装置は様々な装置の光源として使用することができる。
【００３５】
この発明は、上記発明の実施の形態及び実施例の説明に何ら限定されるものではない。特許請求の範囲の記載を逸脱せず、当業者が容易に想到できる範囲で種々の変形態様もこの発明に含まれる。  本明細書の中で明示した論文、公開特許公報、及び特許公報などの内容は、その全ての内容を援用によって引用することとする。
【図面の簡単な説明】
【００３６】
【図１】図１Ａは従来の光源装置１００の上面図であり、図１Ｂは従来の光源装置２００の上面図である。
【図２】図２は本発明の実施例である光源装置１の上面図である。
【図３】図３は図２のＡ−Ａ線断面図である。
【図４】図４は光源装置１の製造工程を表すフロー図である。
【図５】図５は第１光源１１及び第２光源１２の点灯制御の態様を模式的に表したグラフである。
【図６】図６（ａ）〜（ｅ）はそれぞれ第１光源１１及び第２光源１２の光度の時間推移を示す図である。
【図７】図７は本発明の他の実施例である光源装置５の一部分解斜視図である。
【図８】図８は組み立て後の図７のＢ−Ｂ線断面図である。
【図９】図９は本発明のさらに他の実施例である光源装置９００を備える車両室内照明装置９の斜視図である。
【図１０】図１０は図９のＢ−Ｂ線断面図である。
【図１１】図１１は光源装置９００の上面図（光放出側の面を示す図）である。
【符号の説明】
【００３７】
１、５、１００、２００、９００  光源装置
１１、９０２  第１光源
１０１  ＬＥＤランプ
１２、２０１、９０３、９０４  第２光源
１０、１１０、２１０  基板
５１  第１基板
５２  第２基板
５３  開口部
９  車両室内照明装置
９１０  導光板
９２０  意匠カバー
【図１】
2009239152.tif 000003
【図２】
2009239152.tif 000004
【図３】
2009239152.tif 000005
【図４】
2009239152.tif 000006
【図５】
2009239152.tif 000007
【図６】
2009239152.tif 000008
【図７】
2009239152.tif 000009
【図８】
2009239152.tif 000010
【図９】
2009239152.tif 000011
【図１０】
2009239152.tif 000012
【図１１】
2009239152.tif 000013